(57)【要約】【課題】検出精度が高くなる温度範囲をより広げやすく且つ部品点数がより抑えられた温度検出回路を提供する。【解決手段】温度検出回路１において、検出回路部７は、第１抵抗部Ｒ１と温度センサＲｔｈと第２抵抗部Ｒ２とが第１導電路３と第２導電路５との間に直列に接続された構成をなす。更に、制御部１０は、第１抵抗部Ｒ１と温度センサＲｔｈとの間の位置に導通する第１端子Ｐ１と、温度センサＲｔｈと第２抵抗部Ｒ２との間の位置に導通する第２端子Ｐ２とを備えている。そして、制御部１０は、第１端子Ｐ１を入力端子とし第２端子Ｐ２を電源電位よりも低い第１電位とした設定で第１端子Ｐ１の入力電位を検出する第１制御と、第１端子Ｐ１を第２導電路５の電位よりも高い第２電位とし第２端子Ｐ２を入力端子とした設定で第２端子Ｐ２の入力電位を検出する第２制御とを実行する構成となっている。【選択図】図１
2017032424.tif 000002
【特許請求の範囲】
【請求項１】
所定の電源電位となる第１導電路に導通する第１抵抗部と、前記電源電位よりも低い所定の低電位となる第２導電路に導通する第２抵抗部と、温度によって抵抗値が変化する素子として構成されるとともに前記第１抵抗部側に一端側が接続され前記第２抵抗部側に他端側が接続される温度センサと、を備え、前記第１抵抗部と前記温度センサと前記第２抵抗部とが前記第１導電路と前記第２導電路との間に直列に接続された検出回路部と、
前記温度センサと前記第２抵抗部の間の電位を前記電源電位よりも低い第１電位に切り替えた設定で前記第１抵抗部と前記温度センサの間の電位を反映した入力電位を検出する第１制御と、前記第１抵抗部と前記温度センサの間の電位を前記所定の低電位よりも高い第２電位に切り替えた設定で前記温度センサと前記第２抵抗部の間の電位を反映した入力電位を検出する第２制御と、を実行する制御部と、
を有する温度検出回路。
【請求項２】
前記制御部は、
温度検出処理の開始後に、前記第１制御又は前記第２制御のいずれか一方の制御を先に実行し、当該一方の制御が行われているときの前記入力電位が予め定められた所定範囲内である場合には、前記一方の制御が行われているときの前記入力電位に基づいて温度又は温度を反映した値を決定し、
前記一方の制御が行われているときの前記入力電位が予め定められた前記所定範囲を外れる場合には、前記他方の制御を実行し、当該他方の制御が行われているときの前記入力電位に基づいて温度又は温度を反映した値を決定する構成である請求項１に記載の温度検出回路。
【請求項３】
前記制御部は、
前記第１制御が行われているときの前記入力電位が予め定められた第１範囲内である間は、前記第１制御を継続して前記入力電位に基づいて温度又は温度を反映した値を決定し、前記第１制御中に前記入力電位が前記第１範囲を外れる場合には、前記第１制御から前記第２制御に切り替える構成であり、
前記第２制御が行われているときの前記入力電位が予め定められた第２範囲内である間は、前記第２制御を継続して前記入力電位に基づいて温度又は温度を反映した値を決定し、前記第２制御中に前記入力電位が前記第２範囲を外れる場合には、前記第２制御から前記第１制御に切り替える構成である請求項１又は請求項２に記載の温度検出回路。
【請求項４】
前記第１導電路の前記電源電位が前記制御部に入力され、
前記制御部は、前記第１制御を行う場合には、前記第１抵抗部と前記温度センサの間の電位を反映した前記入力電位と前記電源電位との比率に基づいて温度又は温度を反映した値を決定し、前記第２制御を行う場合には、前記温度センサと前記第２抵抗部の間の電位を反映した前記入力電位と前記電源電位との比率に基づいて温度又は温度を反映した値を決定する構成である請求項１から請求項３のいずれか一項に記載の温度検出回路。
【発明の詳細な説明】
【技術分野】
【０００１】
本発明は、温度検出回路に関するものである。
【背景技術】
【０００２】
現在では、温度に応じて抵抗値が変化する温度センサを用いた様々な温度検出回路が提供されており、例えば、サーミスタなどの温度センサを抵抗体と直列に接続して分圧回路を構成し、この分圧回路の分圧電圧に基づいて温度を検出するようなものが数多く存在している。しかしながら、この種の温度検出回路では、分圧回路において温度と分圧電圧との関係が非線形になり、検出精度が高くなる温度域（即ち、温度変化に応じて電圧が大きく変動する温度域）が分圧抵抗の定数等に基づいてある程度の温度範囲に固定されてしまうという問題があった。例えば、低温域の検出精度が高くなるように回路の定数を固定してしまうと、高温域の検出精度が低くならざるを得なかった。
【先行技術文献】
【特許文献】
【０００３】
【特許文献１】特開２００９−１２１８２５号公報
【発明の概要】
【発明が解決しようとする課題】
【０００４】
このような問題を解消しようとする技術としては、特許文献１のような技術が提案されている。特許文献１の温度検出回路は、温度センサと分圧手段とによって構成される分圧回路の接続点に制御回路（温度検出部）が接続されており、更に、抵抗とスイッチとが直列に接続された直列回路が、その分圧回路と並列に接続されている。そして、制御回路が直列回路のスイッチをオンオフすることで２種類の分圧状態に切り替えている。この技術のように２種類の分圧状態に切り替え得る構成とすれば、それぞれの分圧状態毎に回路定数を設定することができ、検出精度が高くなる温度域を分圧状態毎に定めることができるため、検出精度が高くなる温度範囲をより広げやすくなる。
【０００５】
しかしながら、特許文献１の温度検出回路は、制御回路の外側にスイッチ素子が必須となってしまうという問題がある。つまり、分圧状態を切り替えるためだけに用いる専用の電子部品を制御回路の外側に設けなければならないため、少なくともその分だけ部品数の増加を招いてしまうことになる。
【０００６】
本発明は上述した事情に基づいてなされたものであり、検出精度が高くなる温度範囲をより広げやすく且つ部品点数がより抑えられた温度検出回路を提供することを目的とするものである。
【課題を解決するための手段】
【０００７】
本発明の温度検出回路は、
所定の電源電位となる第１導電路に導通する第１抵抗部と、前記電源電位よりも低い所定の低電位となる第２導電路に導通する第２抵抗部と、温度によって抵抗値が変化する素子として構成されるとともに前記第１抵抗部側に一端側が接続され前記第２抵抗部側に他端側が接続される温度センサと、を備え、前記第１抵抗部と前記温度センサと前記第２抵抗部とが前記第１導電路と前記第２導電路との間に直列に接続された検出回路部と、
前記温度センサと前記第２抵抗部の間の電位を前記電源電位よりも低い第１電位に切り替えた設定で前記第１抵抗部と前記温度センサの間の電位を反映した入力電位を検出する第１制御と、前記第１抵抗部と前記温度センサの間の電位を前記所定の低電位よりも高い第２電位に切り替えた設定で前記温度センサと前記第２抵抗部の間の電位を反映した入力電位を検出する第２制御と、を実行する制御部と、
を有する。
【発明の効果】
【０００８】
本発明では、制御部が第１制御を実行したとき、所定の電源電位となる第１導電路と、それよりも低い電位（第１電位）となる接続位置（温度センサと第２抵抗部の間の位置）との間において、第１抵抗部と温度センサとが直列に接続された状態（第１の分圧状態）となる。この分圧状態では、第１抵抗部と温度センサの間の電位が、温度センサの温度（検出温度）を反映した値となり、制御部は、この電位が反映された入力電位を検出可能となる。他方、制御部が第２制御を実行したときには、相対的に高い電位（第２電位）となる接続位置（第１抵抗部と温度センサの間の位置）と、それよりも低い電位（所定の低電位）となる第２導電路との間に、温度センサと第２抵抗部とが直列に接続された状態（第２の分圧状態）となる。この分圧状態では、温度センサと第２抵抗部の間の電位が、温度センサの温度（検出温度）を反映した値となり、制御部は、この電位が反映された入力電位を検出可能となる。
【０００９】
このように本発明によれば、第１抵抗部と温度センサと第２抵抗部とを直列に接続し、それらの部品間の電位を制御部によって制御するという簡易な構成で、２種類の分圧状態に切り替えることができる。そして、このように２種類の分圧状態に切り替え得る構成とすれば、第１の分圧状態のときに検出精度が高くなる温度範囲と、第２の分圧状態のときに検出精度が高くなる温度範囲とを生じさせることが可能になるため、検出精度が高くなる温度範囲をより広げやすくなる。特に、分圧状態を切り替える上で複雑な選択回路等を必要としないため、検出精度が高くなる温度範囲をより広げやすい構成を、部品点数を抑えた形で実現できる。
【図面の簡単な説明】
【００１０】
【図１】実施例１の温度検出回路を概略的に例示する回路図である。
【図２】実施例１の温度検出回路において第１制御が行われているときの回路状態を簡略的に説明する説明図である。
【図３】第１制御が行われているときの制御部の内部機能を簡略的に説明する説明図である。
【図４】第１制御で設定された分圧状態のときの入力電位と温度との関係を示すグラフである。
【図５】実施例１の温度検出回路において第２制御が行われているときの回路状態を簡略的に説明する説明図である。
【図６】第２制御が行われているときの制御部の内部機能を簡略的に説明する説明図である。
【図７】第２制御で設定された分圧状態のときの入力電位と温度との関係を示すグラフである。
【図８】実施例２の温度検出回路を概略的に例示する回路図である。
【図９】実施例３の温度検出回路を概略的に例示する回路図である。
【発明を実施するための形態】
【００１１】
本発明において、前記制御部は、温度検出処理の開始後に、前記第１制御又は前記第２制御のいずれか一方の制御を先に実行し、当該一方の制御が行われているときの前記入力電位が予め定められた所定範囲内である場合には、前記一方の制御が行われているときの前記入力電位に基づいて温度又は温度を反映した値を決定するように構成されていてもよい。そして、前記一方の制御が行われているときの前記入力電位が予め定められた前記所定範囲を外れる場合には、前記他方の制御を実行し、当該他方の制御が行われているときの前記入力電位に基づいて温度又は温度を反映した値を決定するように構成されていてもよい。
この構成では、温度検出処理の開始後に先に行われる一方の制御において、入力電位が一方の制御に対応付けられた所定範囲内である場合（即ち、温度センサの温度が、一方の制御に対応付けられた温度範囲内である場合）には、一方の制御の実行時に得られた入力電位を利用して迅速に温度を検出することができる。つまり、温度検出処理の開始直後に常に２つの制御を実行する必要がなく、一方の制御で十分な場合には他方の制御を省略して処理時間の短縮化を図ることができる。また、先に行われた一方の制御において、入力電位が一方の制御に対応付けられた所定範囲から外れる場合（即ち、温度センサの温度が、一方の制御に対応付けられた温度範囲から外れる場合）には、一方の制御よりも望ましい他方の制御に自動的に切り替えることができ、他方の制御の実行時に得られた入力電位を利用して速やかに温度を検出することができる。
【００１２】
本発明において、前記制御部は、前記第１制御が行われているときの前記入力電位が予め定められた第１範囲内である間は、前記第１制御を継続して前記入力電位に基づいて温度又は温度を反映した値を決定し、前記第１制御中に前記入力電位が前記第１範囲を外れる場合には、前記第１制御から前記第２制御に切り替えるように構成されていてもよい。そして、前記第２制御が行われているときの前記入力電位が予め定められた第２範囲内である間は、前記第２制御を継続して前記入力電位に基づいて温度又は温度を反映した値を決定し、前記第２制御中に前記入力電位が前記第２範囲を外れる場合には、前記第２制御から前記第１制御に切り替えるように構成されていてもよい。
この構成によれば、温度変動があったとしても温度に適した適切な制御が選択され易くなる。例えば、第１制御がなされているとき、入力電位が第１範囲内である間（即ち、温度センサの温度が、第１制御に適した温度範囲内である間）は、第２制御への切り替えを行わずに第１制御をそのまま継続することができ、適切かつ効率的に温度検出を行うことができる。そして、第１制御中に入力電位が第１範囲を外れる場合（即ち、温度センサの温度が、第１制御に適した温度範囲から外れる場合）には、速やかに第２制御に切り替えて、第２制御に基づく温度検出を自動的に行うことができる。
同様に、第２制御がなされているとき、入力電位が第２範囲内である間（即ち、温度センサの温度が、第２制御に適した温度範囲内である間）は、第１制御への切り替えを行わずに第２制御をそのまま継続することができ、適切かつ効率的に温度検出を行うことができる。そして、第２制御中に入力電位が第２範囲を外れる場合（即ち、温度センサの温度が、第２制御に適した温度範囲から外れる場合）には、速やかに第１制御に切り替えて、第１制御に基づく温度検出を自動的に行うことができる。
【００１３】
本発明は、前記第１導電路の前記電源電位が前記制御部に入力される構成であってもよい。そして、前記制御部は、前記第１制御を行う場合には、前記第１抵抗部と前記温度センサの間の電位を反映した前記入力電位と前記電源電位との比率に基づいて温度又は温度を反映した値を決定し、前記第２制御を行う場合には、前記温度センサと前記第２抵抗部の間の電位を反映した前記入力電位と前記電源電位との比率に基づいて温度又は温度を反映した値を決定する構成であってもよい。
第１制御のときの入力電位（第１抵抗部と温度センサの間の電位を反映した電位）と電源電位との比率は、温度センサの抵抗値を反映した値であるとともに、電源電位の変動の影響が抑えられた値でもある。ゆえに、このような比率に基づいて温度検出を行えば、電源電位の変動に起因するばらつきを抑えた高精度な温度検出が可能となる。また、第２制御のときの入力電位（温度センサと第２抵抗部の間の電位を反映した電位）と電源電位との比率も同様であり、温度センサの抵抗値を反映した値であるとともに、電源電位の変動の影響が抑えられた値でもある。ゆえに、このような比率に基づいて温度検出を行えば、電源電位の変動に起因するばらつきを抑えた高精度な温度検出が可能となる。
【００１４】
本発明において、第１抵抗部と温度センサとを接続する接続点から制御部に至るまでの一の導電路（第１の入力経路）において保護抵抗が介在していてもよい。また、温度センサと第２抵抗部とを接続する接続点から制御部に至るまでの他の導電路（第２の入力経路）においても保護抵抗が介在していてもよい。このように保護抵抗を設けることで、第１抵抗部、温度センサ、第２抵抗部の直列経路に静電気等が印加された場合に制御部が受ける影響を抑えることができ、制御部の保護が図られる。
【００１５】
＜実施例１＞
以下、本発明を具体化した実施例１について説明する。
図１で示す温度検出回路１は、主として、第１導電路３と第２導電路５との間に分圧回路を構成する検出回路部７と、各種制御を行い得る制御部１０とによって構成されており、検出回路部７に含まれる温度センサＲｔｈの抵抗値に基づいて温度を検出する構成となっている。
【００１６】
第１導電路３は、定電圧電源Ｖｃｃからの電源電圧が印加されて所定の電源電位Ｖｃｃ（例えば５Ｖ）で保たれた導電路（電源ライン）として構成されている。この第１導電路３は、例えば図示しない電源回路に接続され、一定の電源電位Ｖｃｃで維持されている。また、第２導電路５は、電源電位Ｖｃｃよりも低い所定の低電位となる導電路であり、例えば、グラウンド電位（０Ｖ）で保たれたグラウンドラインとなっている。
【００１７】
検出回路部７は、公知の抵抗体として構成される第１抵抗部Ｒ１と、温度によって抵抗値が変化するサーミスタ（例えば、温度が大きくなるにつれて抵抗値が小さくなるＮＴＣサーミスタ）として構成される温度センサＲｔｈと、公知の抵抗体として構成される第２抵抗部Ｒ２と、によって構成されている。第１抵抗部Ｒ１は、一端側が第１導電路３に接続されて第１導電路３に導通しており、第２抵抗部Ｒ２は、一端側が第２導電路５に接続されて第２導電路５に導通している。そして、温度センサＲｔｈは、一端側が第１抵抗部Ｒ１側に接続され、他端側が第２抵抗部Ｒ２側に接続されている。このような構成で、第１抵抗部Ｒ１と温度センサＲｔｈと第２抵抗部Ｒ２とが、第１導電路３（電源ライン）と第２導電路５（グラウンドライン）との間に直列に接続されている。
【００１８】
制御部１０は、ハードウェア構成としては、複数の入出力端子を備えた公知のマイクロコンピュータとして構成されている。この制御部１０は、上述した第１導電路３（電源ライン）に導通する電源端子（図示略）を備えており、この電源端子は、電源電位Ｖｃｃに保たれている。また、制御部１０は、第２導電路５（グラウンドライン）に導通するグラウンド端子（図示略）を備えており、このグラウンド端子は、グラウンド電位（０Ｖ）に保たれている。更に、制御部１０は、電源端子やグラウンド端子以外にも、様々な端子を備えており、図１の例では、それらの端子の一部として、入出力端子として機能する第１端子Ｐ１及び第２端子Ｐ２を示している。
【００１９】
また、図３、図６で概略的に示すように、制御部１０には、入力された電位（アナログ値）をデジタル値に変換するＡＤ変換部１２、入力電位に基づいて温度を検出する温度検出部１４、各種データを記憶するメモリ１６などが設けられている。マイクロコンピュータとして構成される制御部１０では、ＡＤ変換部１２によってＡＤ変換する端子を公知の端子選択方法で選択するように構成されており、ＡＤ変換する端子として第１端子Ｐ１が選択されている場合には、図３のように第１端子Ｐ１に入力される入力電位（アナログ値）がＡＤ変換部１２によってデジタル値に変換される。また、ＡＤ変換する端子として第２端子Ｐ２が選択されている場合には、図６のように第２端子Ｐ２に入力される入力電位（アナログ値）がＡＤ変換部１２によってデジタル値に変換される。
【００２０】
図３等で示す温度検出部１４は、マイクロコンピュータの演算処理部によって構成されており、少なくとも、メモリ１６に記憶されたデータを利用する機能や、ＡＤ変換部１２によってＡＤ変換された入力電位に基づいて温度を決定する機能などを備えている。また、メモリ１６には、後述する第１制御のときに温度検出に用いる第１のデータテーブルや、後述する第２制御のときに温度検出に用いる第２のデータテーブルなどが記憶されている。なお、メモリ１６に記憶されたテーブルを参照して温度を決定する方法については後に詳述する。
【００２１】
図１で示すように、温度検出回路１では、制御部１０に設けられた第１端子Ｐ１が、第１抵抗部Ｒ１と温度センサＲｔｈとの間の位置に導通している。また、第２端子Ｐ２は、温度センサＲｔｈと第２抵抗部Ｒ２との間の位置に導通している。具体的には、第１端子Ｐ１は、第１抵抗部Ｒ１の他端側（第１導電路３とは反対側）と温度センサＲｔｈの一端側との接続点と同電位になるように導通している。また、第２端子Ｐ２は、第２抵抗部Ｒ２の他端側（第２導電路５とは反対側）と温度センサＲｔｈの他端側との接続点と同電位になるように導通している。
【００２２】
このように構成される温度検出回路１では、制御部１０が、第１端子Ｐ１及び第２端子Ｐ２のそれぞれの端子状態を制御するように構成されている。この制御部１０は、第１端子Ｐ１の端子状態を、第１導電路３の電位（電源電位Ｖｃｃ）と略同電位の電圧信号（Ｈレベル信号）を出力する第１状態と、第２導電路５の電位（グラウンド電位）と略同電位の電圧信号（Ｌレベル信号）を出力する第２状態と、第１端子Ｐ１の内部側をハイインピーダンス状態にして第１端子Ｐ１を入力端子として機能させる第３状態と、に切り替え可能とされている。更に、制御部１０は、第２端子Ｐ２の端子状態を、第１導電路３の電位（電源電位Ｖｃｃ）と略同電位の電圧信号（Ｈレベル信号）を出力する第１状態と、第２導電路５の電位（グラウンド電位）と略同電位の電圧信号（Ｌレベル信号）を出力する第２状態と、第２端子Ｐ２の内部側をハイインピーダンス状態にして第２端子Ｐ２を入力端子として機能させる第３状態と、に切り替え可能とされている。
【００２３】
なお、マイクロコンピュータの分野では、アナログ入力が可能とされた入出力端子を、「電源端子の電源電位と略同電位の電圧信号を出力する第１状態」「グラウンド端子の電位と略同電位の電圧信号を出力する第２状態」「端子をハイインピーダンス状態に設定して端子に入力された電圧信号をＡＤ変換器に入力させる第３状態」に切り替える構成は公知であるため、入出力端子の切り替えに関する詳細な説明は省略する。
【００２４】
具体的には、制御部１０は、図２のような分圧状態を設定する第１制御と、図５のような分圧状態を設定する第２制御とを実行し得るように構成されている。なお、図２では、第２抵抗部Ｒ２を省略して簡略的に示しており、図５では、第１抵抗部Ｒ１を省略して簡略的に示している。
【００２５】
制御部１０が第１制御を実行している状態では、図２のように、第１端子Ｐ１の内部側がハイインピーダンス状態に設定されて第１端子Ｐ１が入力端子として機能し、第２端子Ｐ２は、第２導電路５の電位（グラウンド電位）と略同電位の電圧信号（Ｌレベル信号）を出力する状態となる。つまり、制御部１０によって第１制御がなされているときには、電源電位Ｖｃｃとなる第１導電路３とそれよりも低い電位（具体的には第１電位に相当するグラウンド電位）で保たれる第２端子Ｐ２との間に第１抵抗部Ｒ１と温度センサＲｔｈとが直列に接続された分圧状態（第１の分圧状態）となる。そして、制御部１０は、このような分圧状態を維持しながら、第１端子Ｐ１に入力される入力電位Ｖ１を検出する。入力端子とされた第１端子Ｐ１の入力電位Ｖ１は、温度センサＲｔｈの温度（検出温度）を反映した値であり、以下の関係式で定まる値である。
Ｖ１＝Ｖｃｃ×Ｒｔｈ／（Ｒ１＋Ｒｔｈ）
【００２６】
この関係式において、Ｖｃｃは電源電位であり、Ｒ１は、第１抵抗部Ｒ１の抵抗値であり、Ｒｔｈは、温度センサＲｔｈの抵抗値である。電源電位Ｖｃｃ及び抵抗値Ｒ１は回路構成によって定まる固定値であるため、入力電位Ｖ１が定まれば、温度センサＲｔｈの抵抗値Ｒｔｈが特定可能となり、抵抗値Ｒｔｈが特定されれば、温度センサＲｔｈの既知の特性に基づき、その抵抗値Ｒｔｈのときの温度（検出温度）を把握することができる。つまり、回路構成が決まり、電源電位Ｖｃｃと第１抵抗部Ｒ１の抵抗値Ｒ１が決まれば、入力電位Ｖ１と検出温度との関係は既知となり、例えば、図４のような関係となる。なお、入力電位Ｖ１と検出温度との関係は、第１抵抗部Ｒ１の抵抗値Ｒ１によって調整することができ、特に、抵抗値Ｒ１を調整することで、勾配（温度の単位上昇量当たりの入力電位の減少量）が大きくなる温度範囲を定めることができる。図４の例では、少なくとも後述する第１閾値温度Ｔｔ１よりも高い温度範囲において勾配が大きくなるように抵抗値Ｒ１が調整されている。図４のように、第１閾値温度Ｔｔ１よりも高い温度範囲において勾配が大きくなるように設定すれば、この温度範囲において精度の高い温度検出が可能となる。
【００２７】
また、図４のような関係を特定するデータ（即ち、第１制御のときの入力電位Ｖ１と温度との関係を特定するデータ）は、例えば電位毎に温度を対応付けた形で第１のデータテーブルとして図３で示すメモリ１６に記憶されている。従って、第１制御の実行中に入力電位Ｖ１が検出された場合、演算処理部として機能する温度検出部１４は、メモリ１６に記憶された第１のデータテーブルを参照し、この第１のデータテーブルから入力電位Ｖ１に対応する温度を読み取って決定することができる。
【００２８】
また、制御部１０が第２制御を実行している状態では、図５のように、第１端子Ｐ１は、第１導電路３の電位（電源電位Ｖｃｃ）と略同電位の電圧信号（Ｈレベル信号）を出力する状態となり、第２端子Ｐ２の内部側がハイインピーダンス状態に設定されて第２端子Ｐ２が入力端子として機能する。つまり、制御部１０によって第２制御がなされているときには、相対的に高い電位（具体的には第２電位に相当する電源電位Ｖｃｃ）となる第１端子Ｐ１と、それよりも低い電位（所定の低電位に相当するグラウンド電位）となる第２導電路５との間に温度センサＲｔｈと第２抵抗部Ｒ２とが直列に接続された分圧状態（第２の分圧状態）となる。そして、制御部１０は、このような分圧状態を維持しながら、第２端子Ｐ２に入力される入力電位Ｖ２を検出する。入力端子とされた第２端子Ｐ２の入力電位Ｖ２は、温度センサＲｔｈの温度（検出温度）を反映した値であり、以下の関係式で定まる値となっている。
Ｖ２＝Ｖｃｃ×Ｒ２／（Ｒ２＋Ｒｔｈ）
【００２９】
この関係式において、Ｖｃｃは電源電位であり、Ｒ２は、第２抵抗部Ｒ２の抵抗値であり、Ｒｔｈは、温度センサＲｔｈの抵抗値である。電源電位Ｖｃｃ及び抵抗値Ｒ２は回路構成によって定まる固定値であるため、入力電位Ｖ２が定まれば、温度センサＲｔｈの抵抗値Ｒｔｈが特定可能となり、抵抗値Ｒｔｈが特定されれば、温度センサＲｔｈの既知の特性に基づき、その抵抗値Ｒｔｈのときの温度（検出温度）を把握することができる。つまり、回路構成が決まり、電源電位Ｖｃｃと第２抵抗部Ｒ２の抵抗値Ｒ２が決まれば、入力電位Ｖ２と検出温度との関係は既知となり、例えば、図７のような関係となる。なお、入力電位Ｖ２と検出温度との関係は、第２抵抗部Ｒ２の抵抗値Ｒ２によって調整することができ、特に、抵抗値Ｒ２を調整することで、勾配（温度の単位上昇量当たりの入力電位の増加量）が大きくなる温度範囲を定めることができる。図７の例では、少なくとも後述する第２閾値温度Ｔｔ２よりも低い温度範囲において勾配が大きくなるように抵抗値Ｒ２が調整されている。図７のように、第２閾値温度Ｔｔ２よりも低い温度範囲において勾配が大きくなるように設定すれば、この温度範囲において精度の高い温度検出が可能となる。
【００３０】
また、図７のような関係を特定するデータ（即ち、第２制御のときの入力電位Ｖ２と温度との関係を特定するデータ）は、例えば電位毎に温度を対応付けた形で第２のデータテーブルとして図６で示すメモリ１６に記憶されている。従って、第２制御の実行中に入力電位Ｖ２が検出された場合、演算処理部として機能する温度検出部１４は、メモリ１６に記憶された第２のデータテーブルを参照し、この第２のデータテーブルから入力電位Ｖ２に対応する温度を読み取って決定することができる。
【００３１】
以上のように、本構成によれば、図１のように第１抵抗部Ｒ１と温度センサＲｔｈと第２抵抗部Ｒ２とを直列に接続し、制御部１０に設けられた第１端子Ｐ１及び第２端子Ｐ２の端子状態を制御するという簡易な構成で、２種類の分圧状態に切り替えることができる。そして、このように２種類の分圧状態に切り替え得る構成とすれば、第１の分圧状態のときに検出精度が高くなる温度範囲（図４の例では、例えば第１閾値温度Ｔｔ１よりも温度が高い温度範囲）と、第２の分圧状態のときに検出精度が高くなる温度範囲（図７の例では、例えば第２閾値温度Ｔｔ２よりも温度が低い温度範囲）とが生じることになるため、検出精度が高くなる温度範囲をより広げやすくなる。特に、分圧状態を切り替える上で複雑な選択回路等を必要としないため、より広い温度範囲で検出精度を高め得る構成を、部品点数を抑えた形で実現できる。
【００３２】
ここで、温度検出回路１で行われる温度検出処理の流れを例示する。
図１で示す温度検出回路１では、所定の開始条件が成立したとき（例えば、電源投入がなされたとき、所定の開始信号が発生したとき、その他の温度検出開始条件が成立したときなど）に、制御部１０によって温度検出処理が実行される。
【００３３】
制御部１０は、温度検出処理の開始後、例えば図５で示す第２制御（低温域に適した制御）を先に実行する。そして、この第２制御が行われているときの入力端子（第２端子Ｐ２）での入力電位Ｖ２が予め定められた所定範囲内となる状態であるか否かを判断する。なお、この判断は、温度センサＲｔｈの温度が第２制御に対応する低温範囲内であるか否かを判断しているともいえる。例えば、図７のように第２閾値電位Ｖｔ２が予め定められており、入力電位Ｖ２が第２閾値電位Ｖｔ２以下であれば「所定範囲内」と判断する。そして、このように入力電位Ｖ２が所定範囲内となる状態である判断された場合には、第１制御を行うことなく入力電位Ｖ２に基づいて温度を決定する。具体的には、メモリ１６に記録された第２のテーブルデータを参照し、入力電位Ｖ２に対応付けられている温度を読み取って決定する。
【００３４】
なお、この例では、第２制御の際に、第２のテーブルデータにおいて入力電位Ｖ２に対応付けられている温度を「検出温度」として決定しているが、入力電位Ｖ２そのもの、入力電位Ｖ２を増幅した値、入力電位Ｖ２を変数とする演算式によって定まる値、などを「温度を反映した値」として決定し、利用するようにしてもよい。
【００３５】
逆に、温度検出処理の開始後に先に行われた第２制御の際に入力端子（第２端子Ｐ２）での入力電位Ｖ２が所定範囲から外れていると判断される場合、即ち、入力電位Ｖ２が第２閾値電位Ｖｔ２を超えている場合には、先に行われた第２制御を中止し、図２で示す第１制御（高温域に適した制御）に切り替える。この場合には、第１制御が行われているときの入力端子（第１端子Ｐ１）での入力電位Ｖ１に基づいて温度を決定する。具体的には、メモリ１６に記録された第１のテーブルデータを参照し、入力電位Ｖ１に対応付けられている温度を読み取って決定する。
【００３６】
なお、この例では、第１制御の際に、第１のテーブルデータにおいて入力電位Ｖ１に対応付けられている温度を「検出温度」として決定しているが、入力電位Ｖ１そのもの、入力電位Ｖ１を増幅した値、入力電位Ｖ１を変数とする演算式によって定まる値、などを「温度を反映した値」として決定し、利用するようにしてもよい。
【００３７】
以上のような方法によれば、温度検出処理の開始後に先に行われる第２制御（図５）において、第２端子Ｐ２の入力電位Ｖ２が第２制御に対応付けられた所定範囲内である場合（即ち、温度センサＲｔｈの温度が、第２制御に対応付けられた温度範囲内である場合）に、その入力電位Ｖ２を利用して高精度な温度検出を迅速に行うことができる。つまり、温度検出処理の開始直後に常に２つの制御を実行する必要がなく、第２制御で十分な場合には第１制御を省略して処理時間の短縮化を図ることができるのである。また、先に行われた第２制御において、入力電位Ｖ２が第２制御に対応付けられた所定範囲から外れる場合（即ち、温度センサＲｔｈの温度が、第２制御に対応付けられた温度範囲から外れる場合）には、第２制御よりも望ましい第１制御（図２）に自動的に切り替えることができる。この場合には、切り替えられた第１制御で得られる入力電位Ｖ１を利用して高精度な温度検出を速やかに行うことができる。
【００３８】
また、本構成では、温度検出処理の実行に伴って上述した方法で温度を検出した後でも、継続的に温度を監視することができ、この場合、以下のような方法で制御を切り替えることができる。
【００３９】
図１で示す温度検出回路１では、制御部１０が、第１制御の実行中でも、第２制御の実行中でも、入力端子での入力電位を連続的或いは断続的に検出し、検出される入力電位が実行中の制御に適した範囲内に収まっているか否かを継続的に監視している。例えば、制御部１０によって図２のような第１制御が行われている場合、第１端子Ｐ１での入力電位Ｖ１を継続的に検出しており、この入力電位Ｖ１が予め定められた「第１範囲」内である間は、第１制御を継続して第１端子Ｐ１での入力電位Ｖ１に基づく温度検出を継続的に行っている。上記「第１範囲」は、例えば「所定の第１閾値電位Ｖｔ１以下となる範囲」であり、この範囲は、図４で示すように、温度が第１閾値温度Ｔｔ１以上となる相対的に高い温度範囲である。制御部１０は、図２で示す第１制御中において第１端子Ｐ１の入力電位Ｖ１が第１閾値電位Ｖｔ１以下となっている間（即ち、第１制御中において温度が第１閾値温度Ｔｔ１以上となっている間）は、第１制御を継続して入力電位Ｖ１に基づく温度検出を行う。なお、第１制御中に入力電位Ｖ１に基づいて温度を検出する方法（温度又は温度を反映した値を決定する方法）は上述した通りである。
【００４０】
一方、図２で示す第１制御中に第１端子Ｐ１での入力電位Ｖ１が第１範囲を外れる場合、即ち、第１端子Ｐ１での入力電位Ｖ１が第１閾値電位Ｖｔ１を超えた場合（第１制御中において温度が第１閾値温度Ｔｔ１未満となる場合）には、制御部１０は、図２で示す第１制御から図５で示す第２制御に切り替える。
【００４１】
第２制御でも同様であり、制御部１０は、図５のような第２制御の実行中に第２端子Ｐ２での入力電位Ｖ２を継続的に検出しており、この入力電位Ｖ２が予め定められた「第２範囲」内である間は、第２制御を継続して第２端子Ｐ２での入力電位Ｖ２に基づく温度検出を継続的に行っている。上記「第２範囲」は、例えば「所定の第２閾値電位Ｖｔ２以下となる範囲」であり、この範囲は、図７で示すように、温度が第２閾値温度Ｔｔ２以下となる相対的に低い温度範囲である。制御部１０は、図５で示す第２制御中において第２端子Ｐ２の入力電位Ｖ２が第２閾値電位Ｖｔ２以下となっている間（即ち、第２制御中において温度が第２閾値温度Ｔｔ２以下となっている間）は、第２制御を継続して入力電位Ｖ２に基づいて温度を検出する。なお、第２制御中に入力電位Ｖ２に基づいて温度を検出する方法（温度又は温度を反映した値を決定する方法）は上述した通りである。
【００４２】
一方、図５で示す第２制御中に第２端子Ｐ２の入力電位Ｖ２が第２範囲を外れる場合、即ち、第２端子Ｐ２の入力電位Ｖ２が第２閾値電位Ｖｔ２を超えた場合（第２制御中において温度が第２閾値温度Ｔｔ２を超える場合）には、制御部１０は、図５で示す第２制御から図２で示す第１制御に切り替える。以上のような流れで、制御部１０が第１制御と第２制御との切り替えを行う。
【００４３】
なお、本構成では、第１制御時の第１閾値電位Ｖｔ１に対応する第１閾値温度Ｔｔ１（図４参照）は、第２制御時の第２閾値電位Ｖｔ２に対応する第２閾値温度Ｔｔ２（図７参照）よりも低くなっていてもよく、同一であってもよい。Ｔｔ１＜Ｔｔ２であれば、閾値温度付近での制御の切り替え頻度を抑えることができる。
【００４４】
以上のような構成によれば、温度変動があったとしても温度に適した適切な制御が選択され易くなり、温度検出を継続的に行う場合に有利になる。例えば、図２のような第１制御がなされているとき、入力電位Ｖ１が第１範囲内である間（即ち、温度センサＲｔｈの温度が、第１制御に適した高い温度範囲内である間）は、第２制御への切り替えを行わずに第１制御をそのまま継続することができ、適切かつ効率的に温度検出を行うことができる。そして、第１制御中に入力電位Ｖ１が第１範囲を外れる場合（即ち、温度センサの温度が、第１制御に適した温度範囲から外れて低温にシフトした場合）には、図５のように低温に適した第２制御に速やかに切り替えて、第２制御に基づく温度検出を自動的に行うことができる。
【００４５】
同様に、図５のような第２制御がなされているときには、入力電位Ｖ２が第２範囲内である間（即ち、温度センサＲｔｈの温度が、第２制御に適した低い温度範囲内である間）は、第１制御への切り替えを行わずに第２制御をそのまま継続することができ、適切かつ効率的に温度検出を行うことができる。そして、第２制御中に入力電位Ｖ２が第２範囲を外れる場合（即ち、温度センサＲｔｈの温度が、第２制御に適した温度範囲から外れて高温にシフトした場合）には、高温に適した第１制御に速やかに切り替えて、第１制御に基づく温度検出を自動的に行うことができる。
【００４６】
＜実施例２＞
次に、実施例２について、主に図８を参照して説明する。
図８で示す実施例２の温度検出回路２００は、実施例１の温度検出回路１に更なる構成を付加している。具体的には、制御部１０において第３端子Ｐ３が設けられており、この第３端子Ｐ３は、第１導電路３に導通すると共に電源電位Ｖｃｃが入力される入力端子となっている。なお、第３端子Ｐ３に電源電位Ｖｃｃが入力される点以外のハードウェア構成は実施例１と同様であるため、実施例１と同様の部分については実施例１と同一の符号を付し、詳細な説明は省略する。
【００４７】
この実施例２の温度検出回路２００でも、実施例１と同様の方法で第１制御及び第２制御が行われ、それぞれの制御において、実施例１と同様の入力電位Ｖ１，Ｖ２が検出されるようになっている。即ち、図８の温度検出回路２００でも、制御部１０によって第１制御が実行されたときには、第１端子Ｐ１がハイインピーダンス状態に設定されて入力端子となり、第２端子Ｐ２が第１導電路３の電位（電源電位Ｖｃｃ）よりも低い第１電位（例えば、グラウンド電位）となった設定で第１端子Ｐ１の入力電位Ｖ１が検出される。また、制御部１０によって第２制御が実行されたときには、第１端子Ｐ１が第２導電路５の電位よりも高い第２電位（例えば電源電位Ｖｃｃ）となり、第２端子Ｐ２が入力端子となった設定で第２端子Ｐ２の入力電位Ｖ２が検出される。なお、第１制御のときでも第２制御のときでも第３端子Ｐ３には常に第１導電路３の電位（電源電位Ｖｃｃ）が入力され、制御部１０は、この電位を検出し続けている。
【００４８】
そして、図８で示す温度検出回路２００では、第１制御を行う場合に、第１端子Ｐ１の入力電位Ｖ１と第３端子Ｐ３に入力される電源電位Ｖｃｃとの比率に基づいて温度を検出し、第２制御を行う場合には、第２端子Ｐ２の入力電位Ｖ２と第３端子Ｐ３に入力される電源電位Ｖｃｃとの比率に基づいて温度を検出する。
【００４９】
第１制御において、電源電位Ｖｃｃに対する入力電位Ｖ１の比率Ｖ１／Ｖｃｃは以下の式で表され、電源電位Ｖｃｃの影響が排除された値となる。
Ｖ１／Ｖｃｃ＝Ｒｔｈ／（Ｒ１＋Ｒｔｈ）
【００５０】
第１抵抗部Ｒ１の抵抗値Ｒ１は回路構成によって定まる固定値であるため、比率Ｖ１／Ｖｃｃが定まれば、温度センサＲｔｈの抵抗値Ｒｔｈが特定可能となり、抵抗値Ｒｔｈが特定されれば、温度センサＲｔｈの既知の特性に基づき、その抵抗値Ｒｔｈのときの温度（検出温度）を把握することができる。つまり、回路構成が決まり、第１抵抗部Ｒ１の抵抗値Ｒ１が決まれば、上記比率Ｖ１／Ｖｃｃと検出温度との関係は既知となる。ゆえに、この関係を特定するデータ（即ち、第１制御のときの比率Ｖ１／Ｖｃｃと温度との関係を特定するデータ）を、例えば比率の値ごとに温度を対応付けた形で第１のデータテーブルとしてメモリ１６に記憶しておけばよい。このようにすれば、第１制御の実行中に比率Ｖ１／Ｖｃｃが検出された場合、メモリ１６に記憶された第１のデータテーブルを参照することで、この比率Ｖ１／Ｖｃｃに対応する温度を検出することができる。
【００５１】
同様に、第２制御において、電源電位Ｖｃｃに対する入力電位Ｖ２の比率Ｖ２／Ｖｃｃは以下の式で表され、電源電位Ｖｃｃの影響が排除された値となる。
Ｖ２／Ｖｃｃ＝Ｒ２／（Ｒ２＋Ｒｔｈ）
【００５２】
第２抵抗部Ｒ２の抵抗値Ｒ２は、回路構成によって定まる固定値であるため、上記比率Ｖ２／Ｖｃｃが定まれば、温度センサＲｔｈの抵抗値Ｒｔｈが特定可能となり、抵抗値Ｒｔｈが特定されれば、温度センサＲｔｈの既知の特性に基づき、その抵抗値Ｒｔｈのときの温度（検出温度）を把握することができる。つまり、回路構成が決まり、第２抵抗部Ｒ２の抵抗値Ｒ２が決まれば、上記比率Ｖ２／Ｖｃｃと検出温度との関係は既知となる。ゆえに、この関係を特定するデータ（即ち、第２制御のときの比率Ｖ２／Ｖｃｃと温度との関係を特定するデータ）を、例えば比率の値ごとに温度を対応付けた形で第２のデータテーブルとしてメモリ１６に記憶しておけばよい。このようにすれば、第２制御の実行中に比率Ｖ２／Ｖｃｃが検出された場合、メモリ１６に記憶された第２のデータテーブルを参照することで、この比率Ｖ２／Ｖｃｃに対応する温度を検出することができる。
【００５３】
このような実施例２の構成でも、実施例１と同様の効果が得られる。
また、実施例２の構成において第１制御で用いられる比率Ｖ１／Ｖｃｃは、温度センサＲｔｈの抵抗値を反映した値であるとともに、電源電位Ｖｃｃの変動の影響が抑えられた値でもある。ゆえに、第１制御の際に、このような比率に基づいて温度検出を行えば、電源電位Ｖｃｃの変動に起因するばらつきを抑えた高精度な温度検出が可能となる。同様に、第２制御で用いられる比率Ｖ２／Ｖｃｃは、温度センサＲｔｈの抵抗値を反映した値であるとともに、電源電位Ｖｃｃの変動の影響が抑えられた値でもある。ゆえに、第２制御でも、このような比率に基づいて温度検出を行えば、電源電位Ｖｃｃの変動に起因するばらつきを抑えた高精度な温度検出が可能となる。
【００５４】
なお、実施例２でも、第１制御と第２制御の切り替えについては実施例１と同様の方法で行うことができる。例えば、制御部１０によって第１制御が行われている場合、第１端子Ｐ１での入力電位Ｖ１を継続的に監視し、この入力電位Ｖ１が第１閾値電位Ｖｔ１以下である間（第１制御中において温度が第１閾値温度Ｔｔ１以上である間）は、第１制御を継続する。この第１制御の継続中に温度検出を行う場合、第１端子Ｐ１及び第３端子Ｐ３にそれぞれ入力される入力電位Ｖ１と電源電位Ｖｃｃとの比率Ｖ１／Ｖｃｃを検出し、第１のテーブルデータを参照して比率Ｖ１／Ｖｃｃに対応する温度を読み出すことで、温度を決定する。
【００５５】
一方、第１制御中に第１端子Ｐ１の入力電位Ｖ１が第１閾値電位Ｖｔ１を超えた場合（第１制御中において温度が第１閾値温度Ｔｔ１未満となる場合）には、制御部１０は、第１制御から第２制御に切り替える。
【００５６】
また、制御部１０によって第２制御が行われている場合、第２端子Ｐ２の入力電位Ｖ２を継続的に監視し、この入力電位Ｖ２が第２閾値電位Ｖｔ２以下である間（第２制御中において温度が第２閾値温度Ｔｔ２以下である間）は、第２制御を継続する。この第２制御の継続中に温度検出を行う場合、第２端子Ｐ２及び第３端子Ｐ３にそれぞれ入力される入力電位Ｖ２と電源電位Ｖｃｃとの比率Ｖ２／Ｖｃｃを検出し、第２のテーブルデータを参照して比率Ｖ２／Ｖｃｃに対応する温度を読み出すことで、温度を決定する。
【００５７】
一方、第２制御中に第２端子Ｐ２の入力電位Ｖ２が第２閾値電位Ｖｔ２を超えた場合（第２制御中において温度が第２閾値温度Ｔｔ２を超える場合）には、制御部１０は、第２制御から第１制御に切り替える。以上のような流れで、制御部１０が第１制御と第２制御との切り替えを行う。
【００５８】
＜実施例３＞
次に、実施例３について、主に図９を参照して説明する。
図９で示す実施例３の温度検出回路３００は、検出回路部３０７の構成が実施例１の検出回路部７と異なるだけであり、それ以外は実施例１と同様である。具体的には、実施例１の特徴を全て含み、更に、第１抵抗部Ｒ１と温度センサＲｔｈとを接続する接続点と第１端子Ｐ１との間に保護抵抗Ｒ３を設けている点、第２抵抗部Ｒ２と温度センサＲｔｈとを接続する接続点と第２端子Ｐ２との間に保護抵抗Ｒ４を設けている点が追加されている。例えば、第１制御や第２制御の方法、第１制御及び第２制御のそれぞれの制御での温度検出の方法、第１制御と第２制御の切り替え方法などは実施例１と同様となっている。
【００５９】
図９の温度検出回路３００は、第１端子Ｐ１が保護抵抗Ｒ３を介して第１抵抗部Ｒ１及び温度センサＲｔｈと導通している。また、第２端子Ｐ２が保護抵抗Ｒ４を介して第２抵抗部Ｒ２及び温度センサＲｔｈと導通している。このように保護抵抗Ｒ３及び保護抵抗Ｒ４を設けることで、第１抵抗部Ｒ１、温度センサＲｔｈ、第２抵抗部Ｒ２の直列経路に静電気等が印加された場合でも、第１端子Ｐ１や第２端子Ｐ２を介して制御部１０が受ける影響を抑えることができ、制御部１０を保護することができる。
【００６０】
なお、図９の例では、図１で示す実施例１の構成に保護抵抗Ｒ３、Ｒ４を追加した例を示したが、図８で示す実施例２の構成に同様の保護抵抗を設けるようにしてもよい。
【００６１】
＜他の実施例＞
本発明は上記記述及び図面によって説明した実施例に限定されるものではなく、例えば次のような実施例も本発明の技術的範囲に含まれる。
（１）上述した実施例では、制御部１０によって第１制御が行われているときに第２端子Ｐ２が第２導電路５と略同電位（例えばグラウンド電位に相当する０Ｖ）に保たれた例を示したが、第１制御が行われているときに第２端子Ｐ２が第２導電路５の電位よりも僅かに高い一定の低電位に保たれてもよい。また、この例に限られず、制御部１０において第１端子Ｐ１及び第２端子Ｐ２がいずれもハイインピーダンス状態に設定されているときの温度センサＲｔｈと第２抵抗部Ｒ２の間の導電路の電位よりも、制御部１０によって第１制御が行われているときの温度センサＲｔｈと第２抵抗部Ｒ２の間の導電路の電位のほうが低くなるように切り替える構成であればよい。
（２）上述した実施例では、制御部１０によって第２制御が行われているときに第１端子Ｐ１が第１導電路３と略同電位（例えば電源電位Ｖｃｃに相当する５Ｖ）に保たれた例を示したが、第２制御が行われているときに第１端子Ｐ１が第１導電路３の電位よりも僅かに低い一定の高電位に保たれてもよい。また、この例に限られず、制御部１０において第１端子Ｐ１及び第２端子Ｐ２がいずれもハイインピーダンス状態に設定されているときの第１抵抗部Ｒ１と温度センサＲｔｈの間の導電路の電位よりも、制御部１０によって第２制御が行われているときの第１抵抗部Ｒ１と温度センサＲｔｈの間の導電路の電位のほうが高くなるように切り替える構成であればよい。
（３）上述した実施例では、温度センサＲｔｈの一例としてＮＴＣサーミスタを例示したが、温度センサＲｔｈは温度に応じて抵抗値が変化する素子であればよく、例えば、ＰＴＣサーミスタなどであってもよい。
（４）実施例１では、温度検出処理の開始後に先に第２制御を実行し、入力電位が予め定められた所定範囲を外れる場合に第１制御を実行して温度検出を行う例を示したが、他のいずれの実施例でも、同様の制御を行うことができる。また、いずれの実施例でも、この逆としてもよい。即ち、温度検出処理の開始後に先に第１制御を実行し、入力電位が予め定められた所定範囲を外れる場合に第２制御を実行して温度検出を行うような構成であってもよい。
（５）実施例１では、メモリ１６の入力電位と温度との関係を特定するテーブルデータを記憶し、このテーブルデータを参照して温度を検出する例を示したが、入力電位と温度との関係を特定する演算式をメモリ１６に記憶しておき、この演算式に基づいて温度を検出する構成であってもよい。
（６）実施例２では、比率と温度との関係を特定するテーブルデータを記憶し、このテーブルデータを参照して温度を検出する例を示したが、比率と温度との関係を特定する演算式をメモリ１６に記憶しておき、この演算式に基づいて温度を検出する構成であってもよい。
（７）実施例１では、温度検出処理の開始直後に行われる一方の制御において入力電位が所定範囲内であるか否かを、入力電位と閾値電位との比較によって判断したが、入力電位によって定まる温度と、閾値温度との比較によって判断してもよい。
（８）実施例１では、第１制御が行われているときの入力電位が予め定められた第１範囲内であるか否かを入力電位Ｖ１と第１閾値電位Ｖｔ１との比較によって判断したが、入力電位Ｖ１によって定まる温度と、第１閾値温度Ｔｔ１との比較によって判断してもよい。また、実施例１では、第２制御が行われているときの入力電位が予め定められた第２範囲内であるか否かを入力電位Ｖ２と第２閾値電位Ｖｔ２との比較によって判断したが、入力電位Ｖ２によって定まる温度と、第２閾値温度Ｔｔ２との比較によって判断してもよい。
【符号の説明】
【００６２】
１，２００，３００…温度検出回路
３…第１導電路
５…第２導電路
７，３０７…検出回路部
１０…制御部
Ｐ１…第１端子
Ｐ２…第２端子
Ｒ１…第１抵抗部
Ｒ２…第２抵抗部
Ｒｔｈ…温度センサ
【図１】
2017032424.tif 000003
【図２】
2017032424.tif 000004
【図３】
2017032424.tif 000005
【図４】
2017032424.tif 000006
【図５】
2017032424.tif 000007
【図６】
2017032424.tif 000008
【図７】
2017032424.tif 000009
【図８】
2017032424.tif 000010
【図９】
2017032424.tif 000011